(57)【要約】【課題】安価に量産可能な光ピックアップ駆動装置を提供する。【解決手段】光ピックアップと係合して光ピックアップを移動させる送り部材として、送りねじの代わりにコイルを使用する。  コイルの形成は線材の巻き上げで形成されるため、従来の構成における送りねじの形成と異なり、切削刃物による旋盤加工工程を必要としない。その結果、送り部材としての精度を良好にすることができ、しかも安価に量産することができる。これにより、装置としての精度を良好にして安価で量産可能な光ピックアップ駆動装置を提供することができる。【選択図】図１
2006031808.tif 000002
【特許請求の範囲】
【請求項１】
光ディスクに光を投射する光ピックアップと、前記光ピックアップを前記光ディスクの半径方向にガイドするガイド部材と、前記光ピックアップと係合して前記光ピックアップを前記光ディスクの半径方向に移動させる送り部材と、前記送り部材を回転させる回転駆動源とを備える光ピックアップ駆動装置において、前記送り部材は前記光ピックアップと係合するコイルを用いて構成されていることを特徴とする光ピックアップ駆動装置。
【請求項２】
光ディスクに光を投射する光ピックアップと、前記光ピックアップを前記光ディスクの半形方向にガイドするガイド部材と、前記光ピックアップと係合して前記光ピックアップを前記光ディスクの半径方向に移動させる送り部材と、前記送り部材を回転させる回転駆動源とを備える光ピックアップ駆動装置において、前記送り部材は前記光ピックアップと係合するコイルと前記コイルの内側に設けられたコイル保持部材を有することを特徴とする光ピックアップ駆動装置。
【請求項３】
請求項２記載の光ピックアップ駆動装置において、保持部材は、コイルに係合する溝を有することを特徴とする光ピックアップ駆動装置。
【請求項４】
請求項２または３記載の光ピックアップ駆動装置において、コイルと保持部材とが一体成形されていることを特徴とする光ピックアップ駆動装置。
【請求項５】
請求項１〜４のいずれかに記載の光ピックアップ装置において、送り部材のコイルの一端および両端の少なくとも一方が、回転駆動源および支持部材の少なくとも一方に取り付け可能な形状に変化形成されていることを特徴とする光ピックアップ駆動装置。
【請求項６】
請求項５記載の光ピックアップ駆動装置において、コイルの一端および両端の少なくとも一方が小径のコイル状に形成されていることを特徴とする光ピックアップ駆動装置。
【発明の詳細な説明】
【技術分野】
【０００１】
本発明は、ＣＤ装置やＤＶＤ装置等の光ディスク装置に用いられる光ピックアップ駆動装置に関するものである。
【背景技術】
【０００２】
ＣＤ装置やＤＶＤ装置等の光ディスク装置においては、光ディスクに対してレーザー光を投射して信号を記録および／または再生するために光ピックアップ装置が用いられる。従来の光ピックアップ駆動装置においては、回転駆動源を構成するトラバースモーターの回転により光ピックアップをディスク径方向に送るための送り部材として、送りねじが使用されていた。
【０００３】
図５は、従来の光ピックアップ駆動装置の一例の構成を示す斜視図である。図中トラバースハウジング４は、ターンテーブルモーター２ａと、歯車７・８とともに回転駆動源を構成するトラバースモーター３ａと、光ディスク（図示せず）に記録および／または再生用のレーザー光を投射する光ピックアップ６と、光ディスクの半径方向に光ピックアップ６を摺動ガイドする２本の軸１ａ、１ｂと、トラバースモーター３ａの回転により光ピックアップ６を光ディスクの半径方向に送る送りねじ５を有する。ターンテーブル２ｂはターンテーブルモーター２ａのシャフトに固定されている。トラバースモーターのシャフト３ｂと送りねじ５には、トラバースモーター３ａの回転を伝達する歯車７と８がそれぞれ固定されている。送りねじ５は光ピックアップ６に形成された雌ねじ部６ａに嵌合されている（特許文献１参照）。
【特許文献１】特開２００１−１２６４１９号公報
【発明の開示】
【発明が解決しようとする課題】
【０００４】
しかしながら、前記従来の構成においては、光ピックアップ６を送る送り部材として送りねじ５を使用する結果、送りねじ５の山、谷等の形状を形成するために切削刃物による旋盤加工工程が必要となる。
【０００５】
そして、送りねじ５による光ピックアップ６の送りの精度を高く実現・維持するには、送りねじ５の形状の精度が要求される。
【０００６】
しかるに、旋盤加工工程においては切削刃物が摩滅することから、送りねじ５の形状の寸法精度を維持するためには切削刃物の摩滅状態を管理修復する等、多大の工数・時間・コストがかかる。その結果、光ピックアップ駆動装置を安価に量産することができないという課題を有していた。
【０００７】
本発明は、前記従来の課題を解決するもので、装置としての精度を良好にすることができかつ安価に量産可能な光ピックアップ駆動装置を提供することを目的とする。
【課題を解決するための手段】
【０００８】
前記従来の課題を解決するために、本発明の光ピックアップ駆動装置は、送り部材としてコイルを使用する。
【０００９】
コイルの形成は線材の巻き上げで形成されるため、従来の構成における送りねじの形成と異なり、切削刃物による旋盤加工工程を必要としない。その結果、送り部材としての精度を良好にすることができ、しかも安価に量産することができる。
【発明の効果】
【００１０】
本発明の光ピックアップ駆動装置によれば、送り部材としてコイルを使用するため旋盤加工工程を不要にでき、装置としての精度を良好にして安価に量産可能な光ピックアップ駆動装置を提供することができる。
【発明を実施するための最良の形態】
【００１１】
第１の発明は、光ディスクに光を投射する光ピックアップと、前記光ピックアップを前記光ディスクの半径方向にガイドするガイド部材と、前記光ピックアップと係合して前記光ピックアップを前記光ディスクの半径方向に移動させる送り部材と、前記送り部材を回転させる回転駆動源とを備える光ピックアップ駆動装置において、前記送り部材が前記光ピックアップと係合するコイルを用いて構成されていることを特徴とする光ピックアップ駆動装置である。
【００１２】
このように本発明における送り部材はコイルを用いて構成されている結果、コイルの形成は線材の巻き上げで形成されるため、従来の構成における送りねじの形成と異なり切削刃物による旋盤加工工程を必要としない。これにより、装置としての精度を良好にして安価に量産可能な光ピックアップ駆動装置を提供することができる。
【００１３】
第２の発明は、光ディスクに光を投射する光ピックアップと、前記光ピックアップを前記光ディスクの半径方向にガイドするガイド部材と、前記光ピックアップと係合して前記光ピックアップを前記光ディスクの半径方向に移動させる送り部材と、前記送り部材を回転させる回転駆動源とを備える光ピックアップ駆動装置において、前記送り部材が前記光ピックアップと係合するコイルと前記コイルの内側に設けられたコイル保持部材を有することを特徴とする光ピックアップ駆動装置である。
【００１４】
このように本発明における送り部材はコイルを用いて構成されている結果、コイルの形成は線材の巻き上げで形成され、切削刃物による旋盤加工工程が不要となるため、装置としての精度を良好にして安価に量産可能な光ピックアップ駆動装置を提供することができる。同時に、送り部材がコイルのみならずその保持部材を有することにより、光ピックアップと係合するコイルの形状を安定保持することができる。その結果、コイルの線材はコイル形成後形状が安定する性質を有するものでなくてもよくなり、広くコイルに使用されうる線材一般を使用することが可能となる。
【００１５】
第３の発明は、特に前記第２の発明における保持部材がコイルと係合する溝を有していることにより、その溝にコイルが係合する結果、光ピックアップに係合するコイルの形状をさらに安定に保持することができる。
【００１６】
第４の発明は、特に前記第２の発明または第３の発明においてコイルと保持部材とが一体成形されている結果、光ピックアップに係合するコイルの形状をさらに安定に保持することができ、かつ、一体成形製法により、簡易にしかも高精度に製造することができる。
【００１７】
第５の発明は、送り部材のコイルの一端および両端の少なくとも一方が、回転駆動源および支持部材の少なくとも一方に取り付け可能な形状に変化形成されている結果、コイルの一端と回転駆動源との直接連結を容易にし、および／または、コイルの他端の直接取り付けを容易にすることができる。
【００１８】
以下、本発明の実施の形態について、図面を参照しながら具体的に説明する。なお、この実施の形態によってこの発明が限定されるものではない。
【００１９】
（実施の形態１）
図１は、本発明の第１の実施の形態における光ピックアップ駆動装置の要部を示す斜視図である。
【００２０】
図１において、トラバースハウジング４は、ターンテーブルモーター２ａと、回転駆動源を構成するトラバースモーター３ａと、光ディスク（図示せず）に記録および／または再生用のレーザー光を投射する光ピックアップ６と、光ピックアップ６を光ディスクの半径方向にガイドする２本の軸１ａ、１ｂを有する。ターンテーブル２ｂはターンテーブルモーター２ａのシャフトに固定されている。９はトラバースモーター３ａの回転により光ピックアップ６を光ディスクの半径方向に移動させるコイルであり、コイル９は光ピックアップ６に形成された雌ねじ部６ａに係合している。
【００２１】
１０はトラバースモーターのシャフト３ｂとコイル９を固定するスペーサーである。コイル９をトラバースモーターシャフト３ｂに直接巻きつけて連結できない場合でも、スペーサー１０を介することで、図５におけるギア７・８等の構成を要することなくトラバースモーターシャフト３ｂとコイル９とを簡素に連結することができる。
【００２２】
なお、コイル９とトラバースモーターシャフト３ｂとの連結方法はかかるスペーサー１０を介する方法に限られず、コイル９の一端をトラバースモーターシャフト３ｂに直接巻きつける、または、従来の構成と同様に一対の歯車（ギア）を介して連結する等の方法でもよいし、両者を連結できる方法であればいかなるものでもよい。
【００２３】
また、ターンテーブル２ｂ及びターンテーブルモーター２ａは必ずしもトラバースハウジング４上になくてもよい。
【００２４】
さらに、光ピックアップ６をガイドする部材は、２本の軸１a、１ｂでなくてもよく、光ピックアップ６の底面または上面にモノレール状に係合してガイドする部材でもよいし、コイル９による光ピックアップ６の送りをガイドしうる部材であればいかなるものでもよい。
【００２５】
なお、図１では送り部材としてコイル９のみからなる構成を示しているが、送り部材の構成はこれに限られるものではなく、コイル９に加えてその内側に何らかの部材を有する構成でもよいし、光ピックアップ６に係合するコイル９を用いてさえいればいかなる構成でもよい。
【００２６】
ここで、コイル９のみからなる構成をとった場合には、コイル９の線材として、コイル形成後形状が安定する性質を有する線材を使用するのが望ましい。かかる線材としては、例えばアモルファス合金、ベリリウム銅合金、タングステン合金、マグネシウム合金等が挙げられるがこれに限られるものではない。そして、コイル９の形成方法としては、例えば前記線材を加熱等して巻き上げ可能な状態においてコイルを形成した後、冷却する等して形状を固定・安定させる等の方法が挙げられるが、これに限られるものではない。
【００２７】
以上のように、本実施例においては、光ピックアップ６を移動させる送り部材としてコイル９を使用する。コイル９の形成は線材の巻き上げで形成されるため、従来の構成における送りねじ（例えば図５における送りねじ５）の形成と異なり、切削刃物による旋盤加工工程を必要としない。その結果、旋盤加工工程において寸法精度の維持・修復等にかかっていた多大の工数・時間・コストを省くことができる。これにより、装置としての精度を良好にして安価に量産可能な光ピックアップ駆動装置を提供することができる。
【００２８】
なお、本実施例において送り部材として使用するコイル９は、従来の構成において送り部材として使用されていた送りねじよりも重量が軽い。そこで、本実施例における送り部材として、コイル９のみからなる空芯の送り部材や、コイル９及びその内側に設けられた樹脂製部材からなる送り部材など、送りねじよりも重量の軽い送り部材を用いた場合には、送りねじを使用する従来の構成に比べて光ピックアップ駆動装置の軽量化を図ることができる。その結果、従来よりも軽量の光ピックアップ駆動装置を提供することができる。
【００２９】
また、本実施例では送り部材としてコイル９を使用する結果、例えば図５に示す従来の構成においてトラバースモーター３ａの回転を送りねじ５に伝達していた一対の歯車等（図５におけるギア７及びギア８等）を省略した構成にすることもできる。すなわちトラバースモーターシャフト３ｂとコイル９とが、コイル９をトラバースモーターシャフト３ｂに直接巻きつけて連結できる場合は何も介さず、直接巻き付け連結できない場合にはスペーサー１０を介して連結する等、従来の構成に比べてより直接的に連結された構成にすることもできる。
【００３０】
しかも、仮に送りねじを使用する従来の構成においてかかる直接的連結を得ようとすれば連結部分の形態に相当の工夫が必要でありこれに工数・コストがかかるのに対し、本実施例では送り部材としてコイル９を使用する結果、工数・コストを要せずして前記の直接的連結構成が得られる。
【００３１】
本実施例においてかかる直接的連結構成をとった場合には、さらに以下の作用・効果を得ることができる。
【００３２】
まず、前記一対の歯車等を省略するため部品点数が減り、また、送り部材及びトラバースモーターシャフト３ｂに前記歯車等を形成していた工程を省略でき、その結果、光ピックアップ駆動装置のコストをさらに低減することができる。
【００３３】
また、省略した前記一対の歯車等の分だけ重量が軽くなる結果、光ピックアップ駆動装置の軽量化を図ることができる。
【００３４】
さらに、前記一対の歯車等を介したモーター回転の間接的伝達に比べて回転の停止、逆回転等の制御をより安定・迅速に伝達でき、その結果、送り部材による光ピックアップ６の送りの制御を安定化・迅速化することができる。
【００３５】
また、前記一対の歯車等を省略した結果、前記一対の歯車等が磨耗、破損等がもたらす光ピックアップ駆動装置の故障リスクを排除できるため、光ピックアップ駆動装置の故障リスクを低減できる。
【００３６】
（実施の形態２）
図２は、本発明の第２の実施の形態の光ピックアップ駆動装置の要部を示す斜視図である。
【００３７】
図２において、トラバースハウジング４は、ターンテーブルモーター２ａと、回転駆動源を構成するトラバースモーター３ａと、光ディスク（図示せず）に記録および／または再生用のレーザー光を投射する光ピックアップ６と、光ピックアップ６を光ディスクの半径方向にガイドする２本の軸１ａ、１ｂを有する。ターンテーブル２ｂはターンテーブルモーター２ａのシャフトに固定されている。９はトラバースモーターの回転により光ピックアップ６を光ディスクの半径方向に移動させるコイルであり、コイル９は光ピックアップ６に形成された雌ねじ部６ａに係合している。１１はコイル９の内側に位置し、コイル９を保持する保持部材である。
【００３８】
保持部材１１によりコイル９を保持する方法としては、例えばコイル９の内径と同等またはこれよりわずかに太い部材を用いることでコイル９を保持する等の方法が挙げられるが、これに限られるものではなく、保持部材１１がコイル９を保持しうる方法であればいかなるものでもよい。
【００３９】
なお、保持部材１１は円柱状部材に限られるものではなく、空芯状の部材等でもよいし、コイル９を保持できる部材であればいかなるものでもよい。
【００４０】
また、図2において保持部材１１はコイル９とトラバースモーターシャフト３ｂとを固定するスペーサーの機能も兼ねているが、コイル９とトラバースモーターシャフト３ｂとの連結方法はかかる方法に限られず、コイル９をトラバースモーターシャフト３ｂに直接巻きつける等の方法でもよいし、両者を連結できる方法であればいかなるものでもよい。
【００４１】
さらに、ターンテーブル２ｂ及びターンテーブルモーター２ａは必ずしもトラバースハウジング４上になくてもよい。
【００４２】
加えて、光ピックアップ６をガイドする部材は、２本の軸１a、１ｂでなくてもよく、光ピックアップ６の底面または上面にモノレール状に係合してガイドする部材でもよいし、コイル９による光ピックアップ６の送りをガイドしうる部材であればいかなるものでもよい。
【００４３】
以上のように、本実施例においては、光ピックアップ６を移動させる送り部材としてコイル９とその保持部材１１を有する構成にしたことにより、コイル９の形成は線材の巻き上げで形成され、寸法精度の維持・修復等に多大の工数・時間・コストを要していた旋盤加工工程が不要となるため、装置としての精度を良好にして安価に量産可能な光ピックアップ駆動装置を提供することができる。同時に、本実施例の送り部材はコイル９のみならずその保持部材１１を有することにより、光ピックアップ６と係合するコイル９の形状を安定保持することができる。その結果、コイル９の線材はコイル形成後形状が安定する性質を有するものでなくてもよくなり、広くコイルに使用されうる線材一般を使用することが可能となる。
【００４４】
なお、本実施例においては保持部材１１を樹脂製とする等して、送り部材を送りねじよりも軽くすることもできる。この場合には送り部材として送りねじを使用する従来の構成と比較して光ピックアップ駆動装置の軽量化を図ることができ、従来よりも軽量の光ピックアップ駆動装置を提供することができる。
【００４５】
また、本実施例でも、例えば図５に示す従来の構成においてトラバースモーター３ａの回転を送りねじ５に伝達していた一対の歯車等（図５におけるギア７及びギア８等）を省略し、コイル９をトラバースモーターシャフト３ｂに直接巻きつけて連結できる場合は何も介さず、直接巻き付け連結できない場合には保持部材１１またはスペーサーを介して連結する等、従来の構成に比べてより直接的に連結された構成にすることもできる。しかも、工数・コストを要せずしてかかる直接的連結構成が得られ、この場合には前記実施の形態１でかかる構成をとった場合と同様の作用効果が得られる。
【００４６】
（実施の形態３）
図３は、本発明の第３の実施の形態の光ピックアップ駆動装置における保持部材の要部を示す斜視図ａ 及び断面図ｂである。図３は本実施の形態３独自の構成のみを記載し、それ以外の構成は図２に示す前記実施の形態２と共通である。
【００４７】
図３において保持部材１１は、図２におけるコイル９と係合する溝１２を有する形態をなしている。なお、保持部材１１は円柱状部材に限られるものではなく、空芯状の部材等でもよいし、図２におけるコイル９を保持できる部材であればいかなるものでもよい。また、本実施例においても前記実施の形態２と同様に、コイル９の線材としては前記第１の実施の形態におけるコイルに使用される線材に限らず、広くコイルに使用されうる線材一般を使用することができる。
【００４８】
以上のように、本実施例においては、前期実施の形態２における保持部材１１がコイル９に係合する溝１２を有することにより、溝１２にコイル９が係合する結果、光ピックアップ６に係合するコイル９の形状をさらに安定に保持することができる。
【００４９】
（実施の形態４）
図４は、本発明の第４の実施の形態の光ピックアップ駆動装置における送り部材の要部を示す断面図である。図４は本実施の形態４独自の構成のみを記載し、それ以外の構成は図２で示す実施の形態２または図２及び図３で示す実施の形態３と共通である。
【００５０】
図４において、コイル９と保持部材１１とは一体成形されており、例えば保持部材１１がコイル９の線径（内径と外径の平均径）と同一径に形成されるように一体成形されるものとするが、保持部材１１からコイル９が突出している部分が送り部材としての機能を果たし、保持部材１１がコイル９を保持しうる状態であれば足り、保持部材１１がコイル９の線径と厳密に同一径に形成されていなくてもよい。
【００５１】
なお、本実施例においても前記実施の形態２、実施の形態３と同様に、保持部材１１は円柱状部材に限られるものではなく、空芯状の部材等でもよく、コイル９を保持できる部材であればいかなるものでもよいし、また、コイル９の線材も、前記第１の実施の形態におけるコイルに使用される線材に限らず、広くコイルに使用されうる線材一般を使用することができる。
【００５２】
以上のように、本実施例においては、前記実施の形態２または実施の形態３におけるコイル９と保持部材１１とを一体成形することにより、さらに効率良くかつ高精度に製造することができ、光ピックアップ６に係合するコイル９の形状をさらに安定に保持することができる。
【００５３】
（実施の形態５）
図５は、本発明の第５の実施の形態の光ピックアップ駆動装置におけるコイルの要部を示す斜視図である。図５は本実施の形態５独自の構成のみを記載し、それ以外の構成は前記実施の形態１、実施の形態２、実施の形態３、実施の形態４のいずれかと共通にできる。
【００５４】
図５において９ａはコイル９の一端を、回転駆動源を構成するトラバースモーターシャフト３ｂ等に直接取り付け可能な径寸法に変化させた形態である。９ｂはコイル９の他端を支持部材（図示せず）に取り付け可能な径寸法に変化させた形態である。なお、図５では９ａ、９ｂをともに径寸法を変化させた場合を図示しているが、９ａまたは９ｂいずれか一端のみ径寸法を変化させ他端の径寸法は変化させないとしてもよい。
【００５５】
以上のように、本実施例においては、前記実施の形態１、実施の形態２、実施の形態３、実施の形態４のいずれかにおけるコイル９の一端あるいは両端が、取り付け可能なコイル径に変化形成されている。そして、(１) コイル９の一端９ａがモーターシャフト３ａ等に直接取り付け可能なコイル径に変化形成された場合には、コイル９をそのままではモーターシャフト３ａ等に直接巻きつけ連結できなかった場合においても何も介さず直接連結できるようになる。
【００５６】
また、（２）コイル９の他端９ｂが取り付け可能なコイル径に変化形成された場合には、他端９ｂを支持部材に何も介さず直接保持取り付けすることが可能となる。
【００５７】
さらに、(３)９ａ、９ｂ両端がともに取り付け可能なコイル径に変化形成された場合には、前記（１）（２）両方の作用効果を得ることができる。
【００５８】
なお、コイル９の端部形状の変化形成はこのようなコイル径変化に限られるものではなく、コイル９端部を直線にしたり、折り返したり、その他各種の形状に変化させることができる。
【００５９】
また、９ａの連結先は必ずしもモーターシャフト３ａそれ自体である必要はなく、回転駆動源の構成部分であればよい。例えば回転駆動源がトラバースモーター３ａとそのモーターシャフト３ｂとその回転を伝達する一対の歯車等を有する場合には、その一対の歯車等に連結しても構わない。
【００６０】
さらに、９ｂの連結先である支持部材は特段何の限定も受けず、９ｂと連結することにより９ｂを支持できるものであればいかなるものでもよい。
【００６１】
なお、前記実施の形態１〜実施の形態５いずれの形態においても、コイル９の線材は磨耗に強い材料が最適である。
【産業上の利用可能性】
【００６２】
以上のように本発明にかかる光ピックアップ駆動装置によれば、装置としての精度が良好でかつ安価に量産が可能となるため、本発明はＣＤ、ＤＶＤ等光ディスクの記録再生装置や、光磁気記録再生装置等、光ピックアップを用いる製品に幅広く適用・応用できる。
【図面の簡単な説明】
【００６３】
【図１】本発明の実施の形態１における光ピックアップ駆動装置の要部を示す斜視図
【図２】本発明の実施の形態２における光ピックアップ駆動装置の要部を示す斜視図
【図３】本発明の実施の形態３のピックアップ駆動装置における保持部材の要部を示す斜視図および断面図
【図４】本発明の実施の形態４の光ピックアップ駆動装置における送り部材の要部を示す断面図
【図５】本発明の実施の形態５の光ピックアップ駆動装置におけるコイルの要部を示す斜視図
【図６】従来の光ピックアップ駆動装置の要部を示す斜視図
【符号の説明】
【００６４】
１ａ    軸
１ｂ    軸
２ａ    ターンテーブルモーター
２ｂ    ターンテーブル
３ａ    トラバースモーター
３ｂ    トラバースモーターシャフト
４    トラバースハウジング
５    送りねじ
６    光ピックアップ
６ａ    雌ねじ部
７    ギア
８    ギア
９    コイル（コイル状送り部材）
９ａ    巻き径変則部
９ｂ    巻き径変則部
１０    スペーサー
１１    保持部材
１２    溝
【図１】
2006031808.tif 000003
【図２】
2006031808.tif 000004
【図３】
2006031808.tif 000005
【図４】
2006031808.tif 000006
【図５】
2006031808.tif 000007
【図６】
2006031808.tif 000008